(57)【特許請求の範囲】
【請求項１】
自機との接続を要求する接続要求情報信号に対して相手機から受信機能を示す受信能力宣言情報を受信する第一の受信部と、
前記第一の受信部で受信した受信能力宣言情報のビット数が所定のビット数より大きいか否かを判定する判定部と、
前記受信能力宣言情報に対応させて自機の機能を相手機に示す送信能力宣言情報の送出を制御する送信制御部と
を有する送信装置と、
前記送信装置から信号を受信する第二の受信部と、
所定のビット数からなる第一の受信能力宣言情報と所定ビット数よりおおきな第二の受信能力宣言情報とを作成する受信能力宣言情報作成部と、
前記送信装置に対して自機の受信機能を示すために、前記第一の受信能力宣言情報又は前記第二の受信能力宣言情報の何れかを選択して送出する受信制御部と
を有する受信装置と
を備え、
前記受信制御部は、前記送信装置による接続を要求する接続要求情報信号を受けて前記第一の受信能力宣言情報を送出し、所定時間内に前記送信制御部から送信能力宣言情報を受信しない場合には、前記第二の受信能力宣言情報を送出し、
前記送信制御部は、前記接続要求信号を送出したのち、前記受信装置から前記第一の受信能力宣言情報を受信した場合には、送信能力宣言情報を送出せずに所定時間が経過するまで受信能力宣言情報を受信するのを待ち、続いて前記第二の受信能力宣言情報を受けた場合には、前記第二の受信能力宣言情報に対応した機能を示す送信能力宣言情報を作成し、前記受信装置に送出することを特徴とする通信システム。
【請求項２】
前記受信制御部は、前記第一の受信能力宣言情報の送出に対して相手機から前記送信能力宣言情報を受信した場合には、該送信能力宣言情報で示された機能で通信を行うことを特徴とする請求項１記載の通信システム。
【請求項３】
前記受信制御部は、前記第二の受信能力宣言情報の送出に対して相手機から前記送信能力宣言情報を受信した場合には、該送信能力宣言情報で示された機能で通信を行うことを特徴とする請求項１記載の通信システム。
【請求項４】
前記受信制御部は、
前記接続要求信号に対して、ＩＴＵ−Ｖ．８の手順に従ってＡＮＳａｍ信号を相手機に送出し、前記受信部が相手機からＣＭ信号を受信した場合には、ＩＴＵ−Ｖ．３４の受信機能を示す受信能力宣言情報を相手機に送出し、
前記ＣＭ信号を受信しない場合には、前記第一の受信能力宣言情報を送出し、所定時間内に相手機から送信能力宣言情報を受信しない場合には、前記第二の受信能力宣言情報を送出することを特徴とする請求項１記載の通信システム。
【発明の詳細な説明】
【技術分野】
【０００１】
本発明は、通信システムに関し、特にファクシミリ機能を有する通信システムに関する。
【背景技術】
【０００２】
従来のファクシミリ装置は、相手側のファクシミリ装置にリング信号を送信したのち、ＩＴＵ−Ｔ（Ｉｎｔｅｒｎａｔｉｏｎａｌ  Ｔｅｌｅｐｈｏｎｅ  Ｕｎｉｏｎ）．３０勧告に従い、相手側のファクシミリ装置から、相手側の装置（リング信号が送信された方の装置）がサポートする通信能力を宣言するＤＩＳ信号を受信すると、自装置がサポートする通信能力を宣言するＤＣＳ信号を相手側のファクシミリ装置に送信する。その後、この従来のファクシミリ装置は、ＤＣＳ信号に宣言された通信能力で通信することを確認するＣＦＲ信号を相手側のファクシミリ装置から受信すると、その後、印刷用紙に印字する画像データを相手側のファクシミリ装置に送信するようになっている。
【０００３】
ところで、ファクシミリ装置は、通信能力が増加するにつれて、ＤＩＳ信号に宣言された通信能力を表すためのビット数も増加する。従って、機能が拡張されていない古いファクシミリ装置は、ビット数が増加したＤＩＳ信号を受信しても、このＤＩＳ信号を認識することができず、通信エラーを発生して通信回線を切断してしまうという問題点があった。
【０００４】
そこで、上述した問題点を考慮して、上述した通信エラーの発生を防止したファクシミリ装置が提案されている（例えば、特許文献１参照）。このファクシミリ装置は、発信電話番号を認識する機能を備え、着信時のＤＩＳ信号を最も小さいビット数のものとし、かつ、特定情報を検出したときには、更に長いビット数のＤＩＳ信号を相手先に送信するように構成されている。これにより、特許文献１記載のファクシミリ装置は、より多くのファクシミリ装置からの受信を可能としている（例えば、特許文献１参照）。
【特許文献１】特開平２００１−２３８０５７号公報
【発明の開示】
【発明が解決しようとする課題】
【０００５】
しかしながら、上述したファクシミリ装置では、発信電話番号を認識するためのハードウェアを備える必要があるので、装置のコストをアップさせてしまうという問題点があった。また、ファクシミリ装置と接続する交換機は、その仕様により、発信電話番号が通知されない場合があり、この場合には上述した問題点を解消し得なかった。
【０００６】
そこで、本発明は上述した問題点に鑑み、画像を送信する通信装置と画像を受信する通信装置との間で高い通信能力を維持することが可能で、かつ、発信電話番号を認識するためのハードウェアを備える必要をなくすことで装置自体のコストアップを抑え、加えて、交換機に対する依存性をなくすことが可能な通信装置を提供することを目的とする。
【課題を解決するための手段】
【０００７】
上記課題を解決するため、本発明は、自機との接続を要求する接続要求情報信号に対して相手機から受信機能を示す受信能力宣言情報を受信する第一の受信部と、前記第一の受信部で受信した受信能力宣言情報のビット数が所定のビット数より大きいか否かを判定する判定部と、前記受信能力宣言情報に対応させて自機の機能を相手機に示す送信能力宣言情報の送出を制御する送信制御部とを有する送信装置と、前記送信装置から信号を受信する第二の受信部と、所定のビット数からなる第一の受信能力宣言情報と所定ビット数よりおおきな第二の受信能力宣言情報とを作成する受信能力宣言情報作成部と、前記送信装置に対して自機の受信機能を示すために、前記第一の受信能力宣言情報又は前記第二の受信能力宣言情報の何れかを選択して送出する受信制御部とを有する受信装置とを備え、前記受信制御部は、前記送信装置による接続を要求する接続要求情報信号を受けて前記第一の受信能力宣言情報を送出し、所定時間内に前記送信制御部から送信能力宣言情報を受信しない場合には、前記第二の受信能力宣言情報を送出し、前記送信制御部は、前記接続要求信号を送出したのち、前記受信装置から前記第一の受信能力宣言情報を受信した場合には、送信能力宣言情報を送出せずに所定時間が経過するまで受信能力宣言情報を受信するのを待ち、続いて前記第二の受信能力宣言情報を受けた場合には、前記第二の受信能力宣言情報に対応した機能を示す送信能力宣言情報を作成し、前記受信装置に送出することを特徴とする。
【発明の効果】
【０００８】
以上、本発明によれば、受信制御部が、接続を要求する接続要求情報信号を受けて第一の受信能力宣言情報を送出し、所定時間内に相手機から送信能力宣言情報を受信しない場合には、第二の受信能力宣言情報を送出するので、相手装置との間の通信能力を、基本的な通信能力以上の高い機能で維持することができる。
【０００９】
また、本発明によれば、送信した第一の受信能力宣言情報及び第二の受信能力宣言情報のいずれかで送受信能力宣言情報を相手装置に生成させるので、相手装置が発信電話番号を認識するためのハードウェアを備える必要をなくすことでき、相手装置自体のコストアップを抑え、加えて、交換機に対する依存性をなくすことができる。
【発明を実施するための最良の形態】
【００１０】
次に、本発明を実施するための最良の形態を説明する。
【実施例１】
【００１１】
図１は、本発明に係る実施例１の通信装置の構成を示すブロック図である。図１に示すように、実施例１の通信装置は、ファクシミリ装置から送信されてきた画像を記録媒体に印字するとともに、画像データをファクシミリ装置に送信するファクシミリ装置であって、ＣＰＵ１と、ＲＯＭ２と、ＲＡＭ３と、読取装置４と、印刷装置５と、モデム６と、操作パネル７と、ＮＣＵ８と、タイマ９とを備え、これらのものはシステムバス２０に接続され、かつ、ＮＣＵ８は公衆交換電話網３０に接続されている。
【００１２】
ＣＰＵ１は、ＲＯＭ２に記憶されている通信制御プログラム及びシステム制御プログラムを実行することにより、後述する機能を有する図２に示す通信制御部１００及びシステム制御部１４０を生成する。
【００１３】
通信制御部１００は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ−Ｔｅｌｅｃｏｍｍｕｎｉｃａｔｉｏｎ  Ｓｔａｎｄａｒｄｉｚａｔｉｏｎ  Ｓｅｃｔｉｏｎ）勧告Ｔ．３０に従って、ファクシミリ伝送制御手順を実行するものであって、送受信制御部１１０、及び信号生成部１２０を備えている。
【００１４】
送受信制御部１１０は、自装置が受信側の場合には受信制御部として、送信側の場合には送信制御部として機能するものであって、送受信部１１１と、ＤＣＳ判定部１１２と、ＤＩＳ判定部１１３とを備える。送受信部１１１は、信号生成部１２０により生成された１ｓｔＤＩＳ信号、２ｎｄＤＩＳ信号、ＤＣＳ信号、ＣＦＲ信号、及び、画像データを、相手側のファクシミリ装置（以下、通信装置という）に送信するとともに、相手側の通信装置から受信する。なお、これらの信号の送受信するタイミングは、後述する本発明に係る実施例１の通信装置の動作において説明する。
【００１５】
ここで、１ｓｔＤＩＳ信号は、必要最低限の通信能力を示すＤＩＳ信号であって、一例として示した図３〜図６のＤＩＳ一覧表における「ビット番号１〜２４」を有する信号である。このビット番号１〜２４は、あらゆるファクシミリ装置が共通のＤＩＳ信号として有するものである。換言すれば、ビット番号１〜２４のみを有するＤＩＳ信号は、あらゆるファクシミリ装置との間で通信が可能となる必要最低限の通信能力を示すＤＩＳ信号である。２ｎｄＤＩＳ信号は、ビット番号が１から始まり２４を超えて設定された信号である。このように、２４を超えて設定されるビット番号を有するＤＩＳ信号を、以下、「拡張された通信能力を有するＤＩＳ信号」と称する。この拡張された通信能力は、例えば図５に記載されているビット番号６８に示すように、初期のファクシミリ通信では規格化されていなかったＪＰＥＧ符号化を行うか否かを指定する通信能力を備えている。本発明の２ｎｄＤＩＳ信号は、図３〜図６のＤＩＳ一覧表に示すように、ビット番号１〜９６で示された信号である。これはあくまで一例に過ぎず、規格化の状況に応じて９６を超えたビット番号で示された信号であってもよい。
【００１６】
ＤＣＳ信号は、自装置がサポートする通信能力をビット単位で宣言し、受信側の通信装置に送信される信号である。ＣＦＲ信号は、ＤＣＳ信号で指定された通信能力で通信処理を実行することを受信側の通信装置が確認したことを示す送信側の通信装置に送信される信号である。
【００１７】
ＤＣＳ判定部１１２は、最初のＤＩＳ信号が送信側の通信装置に送信されたのちに計時されたタイマ９により予め決められた時間内に、送信側の通信装置から送信されたＤＣＳ信号が入力されたか否かを判定する。そして、ＤＣＳ判定部１１２は、上記時間内に送信側の通信装置から送信されたＤＣＳ信号が入力されていないと判定した場合には、自装置がサポートする最も高い通信能力を宣言する２ｎｄＤＩＳ信号を生成させる要求を信号生成部１２０に出力する。ＤＣＳ判定部１１２は、上記時間内に送信側の通信装置から送信されたＤＣＳ信号が入力されたと判定した場合には、上記ＣＦＲ信号を生成させる要求を信号生成部１２０のＣＦＲ信号生成部１２３に出力する。
【００１８】
ＤＩＳ判定部１１３は、送受信部１１１を介して受信側の通信装置から受信したＤＩＳ信号により宣言された通信能力と、自装置がサポートすることができる最も高い通信能力とを比較する。比較した結果、ＤＩＳ判定部１１３は、入力されてきたＤＩＳ信号により宣言された通信能力が、自装置がサポートすることができる最も高い通信能力に達していないときには、受信側の通信装置との間で自装置の通信能力を最適に実行することができないと判断し、何も処理を行わない。
【００１９】
ＤＩＳ判定部１１３は、入力されてきたＤＩＳ信号に宣言された通信能力が、自装置がサポートすることができる最も高い通信能力と同じときには、受信側の通信装置との間で自装置の通信能力を最適に実行することができると判定し、ＤＣＳ信号を生成させる要求を信号生成部１２０のＤＣＳ信号生成部１２４に出力する。
【００２０】
信号生成部１２０は、１ｓｔＤＩＳ信号を生成してこの１ｓｔＤＩＳ信号を送受信部１１１に出力する１ｓｔＤＩＳ信号生成部１２１と、２ｎｄＤＩＳ信号を生成してこの２ｎｄＤＩＳ信号を送受信部１１１に出力する２ｎｄＤＩＳ信号生成部１２２と、ＣＦＲ信号を生成してこのＣＦＲ信号を送受信部１１１に出力するＣＦＲ信号生成部１２３と、ＤＣＳ信号を生成してこのＤＣＳ信号を送受信部１１１に出力するＤＣＳ信号生成部１２４と、を備える。なお、これらの信号を生成するタイミングは、後述する本発明に係る実施例１の通信装置の動作において説明する。
【００２１】
自装置が送信側である場合には、ＤＣＳ信号生成部１２４が機能する。自装置が受信側である場合には、１ｓｔＤＩＳ信号生成部１２１、２ｎｄＤＩＳ信号生成部１２２、及び、ＣＦＲ信号生成部１２３が機能する。
【００２２】
システム制御部１４０は、送受信制御部１１０の送受信部１１１から受信側の通信装置が送信したＣＦＲ信号が入力されると、画像データをＲＡＭ３から順次読み出し、この画像データを送受信部１１１に出力する。また、システム制御部１４０は、ＲＡＭ３に記憶されている画像データをすべて読み出してしまうと、その旨の通知を信号生成部１２０に出力する。また、システム制御部１４０は、画像データが入力されてきた旨の通知が入力されると、印刷装置５に対して印刷開始を要求する指示を出力する。
【００２３】
図１に示すＲＯＭ２は、ＣＰＵ１により実行される上記通信制御プログラム及びシステム制御プログラムを記憶する。ＲＡＭ３は、ＣＰＵ１が通信制御プログラム及びシステム制御を実行する際に発生するデータを一時的に記憶する。また、ＲＡＭ３は、相手の通信装置から送信されてきた画像データを一時記憶する。
【００２４】
読取装置４は、ＣＣＤ等を利用した、例えばスキャナ装置からなり、原稿を読み取り、この読み取った原稿の画像データをイメージデータに変換する。
【００２５】
印刷装置５は、例えば、感熱記録方式、電子写真方式等のプリンタ装置であって、ファクシミリ通信で受信した画像データを印刷媒体にハードコピーする。
【００２６】
モデム６は、相手の通信装置との間で送受信する制御データや画像データを変復調し、これらのデータをファクシミリ伝送制御手順により相手先の通信装置との間で送受信する。
【００２７】
操作パネル７は、例えば、液晶表示装置（ＬＣＤ）、ＣＲＴ（Ｃａｔｈｏｄｅ−Ｒａｙ  Ｔｕｂｅ）等からなり、自装置の状態、操作方法等を表示する表示部と、自装置を操作するために必要となるファンクションキー、カーソルキー、スタートキー、ダイヤルキー等のキーを備える操作部とを有する。
【００２８】
ＮＣＵ（Ｎｅｔｗｏｒｋ  Ｃｏｎｔｒｏｌ  Ｕｎｉｔ）８は、モデム６と公衆交換電話網３０との通信接続及び開放の制御を行う。
【００２９】
タイマ９は、送受信制御部１１０の送受信部１１１が１ｓｔＤＩＳ信号を相手側の通信装置に送信したのち、予め決められた時間の経過を計時する。
【００３０】
次に、本発明に実施例１の通信装置の動作を説明する。
【００３１】
＜本発明による送信側通信装置と本発明による受信側通信装置の場合＞
図７は、本発明に係る実施例１の通信装置の伝送制御手順を示すシーケンス図である。すなわち、通信制御部１００がＩＴＵ−Ｔ勧告Ｔ．３０に従って行うファクシミリ伝送制御処理手順を説明するための図である。以下、図７に基づいて、ファクシミリ伝送制御処理手順について説明する。図７に示すシーケンスは、ＩＴＵ−Ｔ勧告Ｔ．３０におけるフェーズＢからフェーズＣを示したものである。ここで、フェーズＢとはプリメッセージ手順のことであり、フェーズＣとはインメッセージ手順のことであり、フェーズＢ及びフェーズＣは、メッセージ伝送を行うフェーズである。ここで、図７中の送信側のファクシミリ装置としての通信装置、及び、受信側のファクシミリ装置としての通信装置は、本発明に係る実施例１の構成を有する通信装置である。なお、図７中に表示されている送信側の通信装置（本）及び受信側の通信装置（本）における「本」は、本発明に係る実施例１の構成を有する通信装置であることを示している。
【００３２】
送信側の通信装置と電話回線により通信接続されると、受信側の通信装置は、サポートすることができる通信能力のうち、すべてのファクシミリ装置においてサポート可能な必要最低限の通信能力を宣言する１ｓｔＤＩＳ信号を、公衆交換電話網３０を介して送信側の通信装置に送信するとともに（図７中のＴ１参照）、タイマ９を起動させる。
【００３３】
送信側の通信装置は、公衆交換電話網３０を介して１ｓｔＤＩＳ信号が送信されてくると、入力された１ｓｔＤＩＳ信号に宣言された通信能力と、自装置がサポートすることが可能な最も高い通信能力とを比較した結果、自装置がサポートすることが可能な最も高い通信能力が、１ｓｔＤＩＳ信号に宣言された通信能力より高い通信能力であるので、自装置にとって未だ最適な通信能力を発揮することができないと判断して、受信側の通信装置から送信されてきた１ｓｔＤＩＳ信号に対する応答を無視する。
【００３４】
受信側の通信装置は、タイマ９が予めきめられた時間を経過すると、自装置がサポートすることができる最も高い通信能力を宣言する２ｎｄＤＩＳ信号を、公衆交換電話網３０を介して送信側の通信装置に送信する（図７中のＴ２参照）。なお、受信側の通信装置が送信した２ｎｄＤＩＳ信号が宣言する通信能力は、受信側の通信装置と送信側の通信装置とが同一であるので、送信側の通信装置サポートすることができる最も高い通信能力と同じである。
【００３５】
送信側の通信装置は、公衆交換電話網３０を介して２ｎｄＤＩＳ信号が送信されてくると、入力された２ｎｄＤＩＳ信号に宣言された通信能力と、自装置がサポートすることができる最も高い通信能力と比較した結果、同じであるので、受信側の通信装置との間でサポートする通信能力を自装置がサポートする最も高い通信能力であると宣言するＤＣＳ信号を、公衆交換電話網３０を介して受信側の通信装置に送信する（図７中のＴ３参照）。
【００３６】
受信側の通信装置は、送信側の通信装置からＤＣＳ信号が送信されると、ＤＣＳ信号に宣言された通信能力で通信処理を実行することを確認したことを示すＣＦＲ信号を、公衆交換電話網３０を介して送信側の通信装置に送信する（図７中のＴ４参照）。
【００３７】
送信側の通信装置は、受信側の通信装置からＣＦＲ信号が送信されると、ＲＡＭ３に記憶されているドット画像データからなる画像データを順次読み出し、公衆交換電話網３０を介してこの画像データを符号化して受信側の通信装置に送信する（図７中のＴ５参照）。
【００３８】
図８は、本発明に係る実施例１の送信側の通信装置の動作を示すフローチャートである。
【００３９】
本発明による送信側の通信装置は、受信側の通信装置と電話回線により通信接続されたのち、受信側の通信装置からＤＩＳ信号を受信する（ステップＳ１）。
【００４０】
送受信部１１１は、上記ＤＩＳ信号がモデム６を介して入力されると、このＤＩＳ信号を送受信制御部１１０のＤＩＳ判定部１１３に出力する。
【００４１】
その後、ＤＩＳ判定部１１３は、入力されたＤＩＳ信号に基づき、受信側の通信装置と自装置の通信能力とを比較して、最も高い通信能力で通信できるかを判定する（ステップＳ２）。
【００４２】
すなわち、ＤＩＳ判定部１１３は、受信側の通信装置から受信したＤＩＳ信号を読み取り、それが所定のビット値以内であるか又はビット値を超えるかによって、受信したＤＩＳ信号に宣言された通信能力が必要最低限の通信能力であるか又は高い通信能力であるかを判定する。この所定のビット値は、一例として示した図４のＤＩＳ一覧表における「ビット番号２４」を意味し、ビット番号１〜２４はあらゆるファクシミリ装置との間で通信可能となる必要最低限の通信能力を示すコードである。
【００４３】
ＤＩＳ判定部１１３は、受信したＤＩＳ信号が２４ビットを超えたビット値を有する場合には、高い通信能力での通信が可能であると判断し（ステップＳ２；ＹＥＳ）、その旨の通知を信号生成部１２０に出力し、ステップＳ４に処理を移行する。一方、ＤＩＳ判定部１１３は、受信したＤＩＳ信号がビット値２４までである場合には、必要最低限の通信能力であると判定し（ステップＳ２；ＮＯ）、再度、ＤＩＳ信号が入力されるまで待機する。
【００４４】
図７の場合のように、送信側及び受信側がともに本発明に係る通信装置である場合には、受信側の通信装置から受信したＤＩＳ信号は１ｓｔＤＩＳ信号であって、これはビット番号１〜２４を有しており、必要最低限の通信能力での通信と判断されるので、ステップＳ２においてＮＯとされ、再度、ＤＩＳ信号が入力されるまで待機する。ここで、待機時間は所定の時間（ＤＩＳ信号のリトライ時間）に設定される。
【００４５】
その後、受信側の通信装置から高い通信能力を示すＤＩＳ信号が、再度、送受信制御部１１０に入力される（ステップＳ３）。入力されたＤＩＳ信号に有するビット数がビット番号２４を超える場合には、ＤＩＳ判定部１１３は、自装置がサポートする範囲で、対応するＤＣＳ信号を生成させる要求を信号生成部１２０のＤＣＳ信号生成部１２４に出力する。一方、入力されたＤＩＳ信号がビット番号１〜２４である場合には、ＤＩＳ判定部１１３は、必要最低限の通信能力で通信することを宣言するＤＣＳ信号を生成させる要求を信号生成部１２０のＤＣＳ信号信号生成部１２４に出力する。
【００４６】
図７に示すような送信側及び受信側がともに本発明に係る通信装置である場合には、受信側の通信装置から再度受信したＤＩＳ信号は２ｎｄＤＩＳ信号であって、これはビット番号１〜９６を有している。そこで、自装置が最大限サポートできる拡張された通信能力での通信が可能と判断されるので、ステップＳ２においてＹＥＳとされ、ビット番号１〜９６を有するＤＩＳ信号に対応したＤＣＳ信号を生成させる要求がＤＣＳ信号生成部１２４に出力される。
【００４７】
ＤＣＳ信号生成部１２４は、ＤＩＳ判定部１１３から上記要求が入力されると、自装置がサポートする範囲の通信能力を宣言するＤＣＳ信号を生成し（ステップＳ４）、このＤＣＳ信号を送受信部１１１に出力する。
【００４８】
図７に示すような送信側及び受信側がともに本発明に係る通信装置である場合には、ＤＣＳ信号生成部１２４は、ＤＩＳ信号のビット番号１〜９６に対応した、自装置が最大限サポートできる拡張された通信能力を宣言するＤＣＳ信号を生成して送受信部１１１に出力する。
【００４９】
送受信部１１１は、ＤＣＳ信号生成部により生成された上記ＤＣＳ信号をモデム６に出力する。
【００５０】
モデム６は、ＤＣＳ信号が送受信部１１１から入力されると、このデジタルデータでなるＤＣＳ信号をアナログデータでなるＤＣＳ信号に変換し、ＮＣＵ８に出力する。
【００５１】
ＮＣＵ８は、上記ＤＣＳ信号をモデム６から入力されると、公衆交換電話網３０介してＤＣＳ信号を受信側の通信装置に送信する（ステップＳ５）。
【００５２】
その後、送信側の通信装置のモデム６は、公衆交換電話網３０を介して送信されてきた、ＤＣＳ信号で指定された通信能力で通信処理を実行することを確認したことを示すＣＦＲ信号がＮＣＵ８から入力されると（ステップＳ６）、デジタル信号でなるＣＦＲ信号に復調し、このＣＦＲ信号を送受信部１１１に出力する。
【００５３】
その後、送受信部１１１は、上記ＣＦＲ信号をシステム制御部１４０に出力する。システム制御部１４０は、送受信部１１１からＣＦＲ信号が入力されると、画像データをＲＡＭから順次読み出し、この画像データを送受信部１１１に出力する。
【００５４】
送受信部１１１は、システム制御部１４０から順次画像データが入力されると、この入力された画像データをモデム６に出力する。
【００５５】
モデム６は、上記画像データが送受信部１１１から順次入力されると、このデジタルデータでなる画像データをアナログデータでなる画像データに変換し、ＮＣＵ８に出力する。
【００５６】
ＮＣＵ８は、公衆交換電話網３０を介して、モデム６から入力された画像データを受信側の通信装置に送信し（ステップＳ７）、処理を終了する。
【００５７】
図９は、本発明に係る実施例１の受信側の通信装置の動作を示すフローチャートである。        送信側の通信装置と電話回線により通信接続されると、本発明に係る受信側の通信装置の１ｓｔＤＩＳ信号生成部１２１は、すべての通信装置がサポートすることが可能な必要最低限の通信能力を宣言する１ｓｔＤＩＳ信号を生成し（ステップＳ２１）、この１ｓｔＤＩＳ信号を送受信部１１１に出力する。
【００５８】
送受信部１１１は、１ｓｔ信号生成部１２１から入力された１ｓｔＤＩＳ信号をモデム６に出力するとともに、タイマ９に時間の経過の計時を開始させる。
【００５９】
モデム６は、送受信部１１１から１ｓｔＤＩＳ信号が入力されると、アナログデータでなる１ｓｔＤＩＳ信号を生成し、ＮＣＵ８に出力する。
【００６０】
ＮＣＵ８は、公衆交換電話網３０とモデム６との回線を接続し、公衆交換電話網３０を介して、モデム６から入力された１ｓｔＤＩＳ信号を送信側の通信装置に送信する（ステップＳ２２）。
【００６１】
その後、送受信制御部１１０のＤＣＳ判定部１１２は、送受信部１１１から送信側の通信装置がサポートする通信能力を宣言するＤＣＳ信号が入力されたか否かを判定する（ステップＳ２３）。ＤＣＳ判定部１１２は、ＤＣＳ信号が入力されていないと判定した場合には（ステップＳ２３；ＮＯ）、タイマ９が予め決められた時間の経過を計時したか否かを判定する（ステップＳ２４）。
【００６２】
ＤＣＳ判定部１１２は、タイマ９が予め決められた時間の経過を計時していないと判定した場合には（ステップＳ２４；ＮＯ）、ステップＳ２３に移行する。ＤＣＳ判定部１１２は、タイマ９が予め決められた時間の経過を計時したと判定した場合には（ステップＳ２４；ＹＥＳ）、自装置がサポートする最も高い通信能力を宣言する２ｎｄＤＩＳ信号を生成させる要求を信号生成部１２０の２ｎｄＤＩＳ信号生成部１２２に出力する。
【００６３】
２ｎｄＤＩＳ信号生成部１２２は、ＤＣＳ判定部１１２から入力された上記要求に従い、自装置がサポートする最も高い通信能力を宣言する２ｎｄＤＩＳ信号を生成し（ステップＳ２５）、この２ｎｄＤＩＳ信号を送受信部１１１に出力する。
【００６４】
その後、送受信部１１１は、２ｎｄＤＩＳ信号生成部１２２から入力された２ｎｄＤＩＳ信号をモデム６に出力する。
【００６５】
モデム６は、送受信部１１１から２ｎｄＤＩＳ信号が入力されると、アナログデータでなる２ｎｄＤＩＳ信号を生成し、ＮＣＵ８に出力する。
【００６６】
ＮＣＵ８は、公衆交換電話網３０とモデム６との回線を接続し、公衆交換電話網３０を介して、モデム６から入力された２ｎｄＤＩＳ信号を送信側の通信装置に送信し（ステップＳ２６）、ステップＳ２３に処理を移行させる。
【００６７】
ステップＳ２３において、ＤＣＳ判定部１１２は、送受信部１１１からＤＣＳ信号を受信したと判定した場合には（ステップＳ２３；ＹＥＳ）、ＣＦＲ信号を生成させる要求を信号生成部１２０のＣＦＲ信号生成部１２３に出力する。
【００６８】
ＣＦＲ信号生成部１２３は、上記要求が入力されると、ＤＣＳ信号で指定された通信能力で通信処理を実行することを確認したことを示すＣＦＲ信号を生成し、この生成したＣＦＲ信号を送受信部１１１に出力する。
【００６９】
その後、送受信部１１１は、ＣＦＲ信号生成部１２３から入力されたＣＦＲ信号をモデム６に出力する。
【００７０】
モデム６は、送受信部１１１からＣＦＲ信号が入力されると、アナログデータでなるＣＦＲ信号を生成し、ＮＣＵ８に出力する。
【００７１】
ＮＣＵ８は、公衆交換電話網３０とモデム６との回線を接続し、公衆交換電話網３０を介して、モデム６から入力されたＣＦＲ信号を送信側の通信装置に送信する（ステップＳ２７）。
【００７２】
その後、モデム６は、ＮＵＣ８を介して、送信側の通信装置から順次入力されてきた画像データを、デジタル信号でなる画像データに変換し、この画像データを送受信部１１１に出力する（ステップＳ２８）。
【００７３】
送受信部１１１は、モデム６から順次入力された画像データをＲＡＭ３に一時記憶させるとともに、システム制御部１４０に画像データが入力されてきた旨の通知を出力し、処理を終了する。
【００７４】
なお、システム制御部１４０は、上記通知が入力されると、印刷装置５に対して印刷開始を要求する指示を出力する。
【００７５】
印刷装置５は、ＣＰＵ１により形成されたシステム制御部１４０から上記指示が入力されると、ＲＡＭ３に記憶されている画像データを随時読み出し、この画像データを復元化し、印刷媒体に印字する。
【００７６】
＜旧式の送信側通信装置と本発明による受信側通信装置の場合＞
図１０は、本発明の実施例１の通信装置の動作を示すシーケンス図である。ここで、図１０中の送信側の通信装置は本発明に係る構成を有しない通信装置であり、受信側の通信装置は本発明の実施例１の構成を有する通信装置である。なお、図１０中に表示されている送信側の通信装置（旧）における「旧」は、サポートする通信能力が低い旧タイプの通信装置であることを示し、受信側の通信装置（本）における「本」は、本発明に係る実施例１の構成を有する通信装置であることを示している。
【００７７】
送信側の通信装置と電話回線により通信接続されると、受信側の通信装置は、すべての通信装置がサポートすることが可能な必要最低限の通信能力を宣言する１ｓｔＤＩＳ信号を、公衆交換電話網３０を介して送信側の通信装置に送信するとともに（図１０中のＴ１１参照）、タイマ９を起動させる。
【００７８】
送信側の通信装置は、公衆交換電話網３０を介して１ｓｔＤＩＳ信号が送信されてくると、この１ｓｔＤＩＳ信号に宣言された通信能力と、自装置がサポートすることができる通信能力とを比較する。その結果、送信側の通信装置は、１ｓｔＤＩＳ信号に宣言された通信能力が自装置の通信能力より小さいか又は等しいので、１ｓｔＤＩＳ信号を適切に解釈する。次に、送信側の通信装置は、対応する通信能力のＤＣＳ信号を、公衆交換電話網３０を介して受信側の通信装置に送信する（図１０中のＴ１２参照）。
【００７９】
受信側の通信装置は、送信側の通信装置からＤＣＳ信号が送信されると、ＤＣＳ信号に宣言された通信能力で通信処理を実行することを確認することを示すＣＦＲ信号を、公衆交換電話網３０を介して送信側の通信装置に送信する（図１０中のＴ１３参照）。
【００８０】
以後、送信側の通信装置が、画像データを順次受信側の通信装置に送信し、受信側の通信装置は、送信側の通信装置から送信された画像データを受信する（図１０中のＴ１４参照）。
【００８１】
図１１に示すように、従来、旧式のファクシミリ装置等の通信装置（送信側（旧））と、拡張された通信能力を有するファクシミリ装置等の通信装置（受信側（新））とが通信を行った場合には、送信側の通信装置が受信側のファクシミリ装置から受信したＤＩＳ信号の拡張定義部分を解釈することができず、通信エラーになっていた。これに対して、実施例１では、画像データを受信する受信側の通信装置として機能する場合には、必要最低限の通信能力が宣言された１ｓｔＤＩＳ信号が送信側の通信装置に送信され適切に解釈されるので、送信側の通信装置が通信エラーを発生することを防止することができる。
【００８２】
＜本発明による送信側通信装置と旧式の受信側通信装置の場合＞
図１２は、本発明の実施例１の通信装置の動作を示すシーケンス図である。ここで、図１２中の送信側のファクシミリ装置は本発明に係る構成を有する通信装置であり、受信側の通信装置は本発明の実施例１の構成を有しない通信装置である。なお、図１２中に表示されている送信側の通信装置（本）における「本」は、本発明に係る通信装置の構成を有する通信装置であることを示し、受信側の通信装置（旧）における「旧」は、サポートする通信能力が低い旧タイプの通信装置（すなわち、ビット番号１〜２４を備えるＤＩＳ信号を有する通信装置）であることを示している。また、受信側の通信装置がサポートすることができる最も高い通信能力は、送信側の通信装置がサポートする通信能力より低いものとする。
【００８３】
送信側の通信装置と電話回線により通信接続されると、受信側の通信装置は、自装置がサポートする通信能力を宣言するＤＩＳ信号を、公衆交換電話網３０を介して送信側の通信装置に送信するとともに（図１２中のＴ２１参照）、タイマ９を起動させる。
【００８４】
送信側の通信装置は、公衆交換電話網３０を介してＤＩＳ信号が送信されてくると、入力されたＤＩＳ信号に宣言された通信能力と、自装置がサポートすることが可能な通信能力とを比較した結果、入力されたＤＩＳ信号が２４ビットを超えないので、自装置にとって未だ有効に通信能力が発揮できないと判断して、送信されてきたＤＩＳ信号に対する応答を無視する。
【００８５】
受信側の通信装置は、タイマ９が予めきめられた時間を経過すると、リトライ挙動により再度同じＤＩＳ信号を、公衆交換電話網３０を介して送信側の通信装置に送信する（図１２中のＴ２２参照）。
【００８６】
送信側の通信装置は、公衆交換電話網３０を介してＤＩＳ信号が送信されてくると、入力されたＤＩＳ信号（ビット番号１〜２４）に宣言された通信能力（すなわち必要最低限の通信能力）とするＤＣＳ信号を公衆交換電話網３０を介して受信側の通信装置に送信する（図１２中のＴ２３参照）。
【００８７】
受信側の通信装置は、送信側の通信装置からＤＣＳ信号が送信されると、ＤＣＳ信号に宣言された通信能力で通信処理を実行することを確認したことを示すＣＦＲ信号を、公衆交換電話網３０を介して送信側の通信装置に送信する（図１２中のＴ２４参照）。
【００８８】
以後、送信側の通信装置は、画像データを順次受信側の通信装置に送信し、受信側の通信装置は、画像データを受信する（図１２中のＴ２５参照）。
【００８９】
なお、旧式の受信側の通信装置には、ＤＩＳ信号がビット値２４を超えるが、本発明がサポートすることができる通信能力より低いビット値を有する場合もある。この場合には、本発明による送信側の通信装置は、図８のステップＳ２においてＹＥＳとされて、ステップＳ４に移行する。次に、送信側の通信装置は、ＤＩＳ信号（ビット値２４を超えるが、例えば９６未満）に宣言された通信能力とするＤＩＳ信号を生成し、受信側の通信装置に送信する。この場合には、図１２におけるＴ２２は省かれることはいうまでもない。
【００９０】
以上、実施例１によれば、送信側の通信装置が実施例１の通信装置とし、受信側の通信装置が旧式の通信装置である場合には、送信側の通信装置が、１ｓｔＤＩＳ信号より通信能力の高い通信能力を宣言する２ｎｄＤＩＳ信号に対してＤＣＳ信号を受信側の通信装置に送信するので、通信エラーの発生を防止するとともに、送信側の通信装置と受信側の通信装置との間の通信能力を、旧式の通信装置の最も高い通信能力とすることができる。
【００９１】
また、実施例１によれば、送信側の通信装置が実施例１の通信装置とし、受信側の通信装置が実施例１の通信装置である場合には、発信側の通信装置が、１ｓｔＤＩＳ信号より通信能力の高い通信能力を宣言する２ｎｄＤＩＳ信号に対してＤＣＳ信号を受信側の通信装置に送信するので、通信エラーの発生を防止するとともに、送信側の通信装置と受信側の通信装置との間の通信能力を、実施例１の通信装置の最も高い通信能力とすることができる。
【００９２】
また、実施例１によれば、発信側の通信装置が、受信側の通信装置から２ｎｄＤＩＳ信号が受信されるので、発信電話番号を認識するためのハードウェアを備える必要性をなくすことができる。このため、上記ハードウェアを備えるための装置コストのアップを抑えることができ、かつ、交換機に対する依存性をなくことができる。
【００９３】
ＩＴＵ−Ｔが勧告したＴ．３０によれば、通信経路の確立に関し、通信経路に流れる信号が３００ｂｐｓの通信スピードで２秒、すなわち６００ｂｉｔまでであるという規格上の制約がある。このため、従来の製品は、この規格に準拠して作られている。他方、ＤＩＳ信号の拡張定義部分のビットの定義は、ファクシミリ装置の高機能化の趨勢に伴って飛躍的に増大している。従って、将来的にはＤＩＳ信号の長さが１秒当たり３００ｂｉｔを超えることが見込まれている。このように、信号の長さの増大要求に従って、３００ｂｐｓの通信スピードで２秒という規格制限そのものを無視した製品が出現する可能性がある。このような製品は、同様の製品同士の場合には、確かに高機能な能力を生かした通信経路の確立が可能であるが、３００ｂｐｓの通信スピードで２秒という規格に従って設計された従来品製品との間で通信経路を確立することができないという問題点が発生することが容易に考えられる。実施例１では、最初に基本能力としての最も低い通信能力を宣言するＤＩＳ信号を従来の製品に対して送信するので、３００ｂｐｓの通信スピードで２秒という規格に準拠した製品とも通信経路の確立を有効かつ確実に達成することができるという点で非常に有用である。
【００９４】
上記実施例１では、本発明の通信装置が受信側の通信装置とした場合には、送信側の通信装置と電話回線により通信接続されると、１ｓｔＤＩＳ信号を送出する構成であるが、この構成に代え、送信側の通信装置と電話回線により通信接続されると、送信側の通信装置から送信したＣＮＧ信号（コーリングトーン）を交換機を介して受信したのちに、１ｓｔＤＩＳ信号を送信側の通信装置に送信する構成としてもよい。
【００９５】
また、実施例１によれば、受信側の通信装置は、１ｓｔＤＩＳ信号を送信した後、所定時間経過した後に２ｎｄＤＩＳ信号を送信する構成とした。このような構成に代えて、受信側の通信装置を、相手機に１ｓｔＤＩＳ信号を所定時間Ｔ１の間に所定周期Ｔ４で送出し、所定時間、相手機からＤＣＳ信号を受信しない場合には、更に、２ｎｄＤＩＳ信号を所定時間Ｔ１の間に所定周期Ｔ４で送出する構成にしてもよい。ここで、例えば、Ｔ１は、３５＋５秒、Ｔ４は３．０秒±１５％である。
【００９６】
このような構成をとることにより、一般に行われているＤＩＳ信号のリトライ挙動と本発明の１ｓｔＤＩＳ信号、２ｎｄＤＩＳ信号との整合性を図ることができる。すなわち、万一、何らかの回線障害により最初に受信すべき１ｓｔＤＩＳ信号が到達しなかったとしても、リトライ動作により所定時間Ｔ１の間は、再度１ｓｔＤＩＳ信号が送信されるので、旧式の送信装置が最初に２ｎｄＤＩＳ信号を受信して通信エラーを生じてしまうことを防止することができる。
【実施例２】
【００９７】
実施例２の通信装置は、ファクシミリ装置等の通信装置から送信されてきた画像を記録媒体に印字するとともに、画像データを通信装置に送信するファクシミリ装置であって、実施例１の通信装置と同様、
図１３に示すように、ＣＰＵ１１と、ＲＯＭ２と、ＲＡＭ３と、読取装置４と、印刷装置５と、モデム６と、操作パネル７と、ＮＣＵ８と、タイマ９とを備え、これらのものはシステムバス２０に接続され、かつ、ＮＣＵ８は公衆交換電話網３０に接続されている。
【００９８】
ここで、ＲＡＭ３、読取装置４、印刷装置５、モデム６、操作パネル７、ＮＣＵ８、及びタイマ９は、実施例１のものと同じでなる。
【００９９】
ＣＰＵ１１は、ＲＯＭ２に記憶されている通信制御プログラム及びシステム制御プログラムを実行することにより、後述する機能を有する図１４に示す通信制御部１００ａ、及び、実施例１の同じ機能を有するシステム制御部１４０ａを生成する。
【０１００】
通信制御部１００ａは、実施例１の通信装置と同様、ＩＴＵ−Ｔ勧告Ｔ．３０に従って、ファクシミリ伝送制御手順を実行するものであって、送受信制御部１１０ａ及び信号生成部１２０を備えている。  
【０１０１】
送受信部１１１ａは、信号生成部１２０により生成されたＡＮＳａｍ信号、ＣＭ信号、ＪＭ信号、１ｓｔＤＩＳ信号、２ｎｄＤＩＳ信号、ＤＣＳ信号、ＣＦＲ信号、画像データを、相手側のファクシミリ装置（以下、通信装置という）に送信するとともに、相手側の通信装置から受信する。
【０１０２】
ここで、ＡＮＳａｍ信号は、ＩＴＵ−Ｔが勧告したＶシリーズの中のＶ．８勧告に規定されたモデムを使用していることを示す信号である。ＣＭ信号は、Ｖ．８勧告に従った通信を行うことを宣言する信号であり、ＪＭ信号は、ＩＴＵ−Ｔが勧告したＶシリーズの中のＶ．８勧告に従った通信処理を実行することを宣言する信号である。ここで、Ｖ．８勧告には、モデムに使用される変調方式が規定されており、Ｖ．３４勧告には、通信スピードが３３．６ｋｂｉｔ／ｓであり、通信方式が２線式全二重方式である等が記述されている。
【０１０３】
ＤＣＳ判定部１１１ｂ及びＤＩＳ判定部１１ｃのそれぞれは、実施例１のＤＣＳ判定部１１２と、ＤＩＳ判定部１１３と同一である。
【０１０４】
ＣＭ判定部１１１ｄは、ＣＭ信号が送信側の通信装置から送信されてきたか否かを判定し、その結果、ＣＭ信号が送信側の通信装置から送信されてきたと判定した場合には、Ｖ．８シーケンス処理の実行要求、すなわち、Ｖ．８勧告に従った変調方式で変復調させる要求を、送受信部１１１ａを介してモデム６に出力する。また、ＣＭ判定部１１１ｄは、Ｖ．３４勧告に従った通信処理を実行することを宣言するＪＭ信号を生成させる要求を信号生成部１２０のＪＭ信号生成部１２１ｅに出力する。
【０１０５】
信号生成部１２０ａは、ＡＮＳａｍ信号を生成してこのＡＮＳａｍ信号を送受信部１１１ａに出力するＡＮＳａｍ信号生成部１２０ａと、１ｓｔＤＩＳ信号を生成してこの１ｓｔＤＩＳ信号を送受信部１１１ａに出力する１ｓｔＤＩＳ信号生成部１２１ｂと、２ｎｄＤＩＳ信号を生成してこの２ｎｄＤＩＳ信号を送受信部１１１ａに出力する２ｎｄＤＩＳ信号生成部１２１ｃと、ＣＭ信号を生成してこのＣＭ信号を送受信部１１１ａに出力するＣＭ信号生成部１２１ｄと、ＪＭ信号を生成してこのＪＭ信号を送受信部１１１ａに出力するＪＭ信号生成部１２１ｅと、ＣＦＲ信号を生成してこのＣＦＲ信号を送受信部１１１ａに出力するＣＦＲ信号生成部１２１ｆと、ＤＣＳ信号を生成してこのＤＣＳ信号を送受信部１１１ａに出力するＤＣＳ信号生成部１２１ｇとを備える。なお、これらの信号を生成するタイミングは、後述する本発明に係る実施例２の通信装置の動作において説明する。
【０１０６】
自装置が送信側である場合には、ＣＭ信号生成部１２１ｄ及びＤＣＳ信号生成部１２１ｇが機能する。自装置が受信側である場合には、ＡＮＳａｍ信号生成部１２１ａ、１ｓｔＤＩＳ信号生成部１２１ｂ、２ｎｄＤＩＳ信号生成部１２１ｃ、ＪＭ信号生成部１２１ｅ、及び、ＣＦＲ信号生成部１２１ｆが機能する。
【０１０７】
次に、本発明に係る実施例２の通信装置の動作を説明する。
【０１０８】
＜Ｖ．８勧告に従う通信装置とＶ．８勧告に従う本発明による受信側通信装置の場合＞
図１５は、本発明の実施例２の通信装置の動作を示すシーケンス図である。ここで、図１５中の送信側の通信装置はＶ．８勧告に規定された機能を有する通信装置であり、受信側の通信装置は、本発明に係る実施例２の構成を有するとともに、Ｖ．８勧告に規定された機能を有する通信装置である。
【０１０９】
送信側の通信装置と受信側の通信装置とが電話回線より通信接続されると、受信側の通信装置は、公衆交換電話網３０を介して送信側の通信装置に、ＩＴＵ−Ｔが勧告したＶシリーズの中のＶ．８勧告に規定されＡＮＳａｍ信号を送信する（図１５中のＴ３１参照）。
【０１１０】
送信側の通信装置は、公衆交換電話網３０を介してＡＮＳａｍ信号が送信されてくると、Ｖ．８勧告を実行する装置であることを宣言する、Ｖ．８勧告に従った通信を行うことを宣言するＣＭ信号を、公衆交換電話網３０を介して受信側の通信装置に送信する（図１５中のＴ３２参照）。
【０１１１】
受信側の通信装置は、ＣＭ信号が送信されてくると、通信スピードが３３．６ｋｂｉｔ／ｓで、２線式全二重モデムによる通信処理を規定するＶ．３４勧告に従って通信処理を行うことを宣言するＪＭ信号を、公衆交換電話網３０を介して受信側の通信装置に送信する（図１５中のＴ３３参照）。
【０１１２】
その後、受信側の通信装置は、Ｖ．３４モード通信の中のコントロールチャンネルのＴ．３０フェーズに移行し、自装置がサポートする通信能力として上記Ｖ．３４勧告に規定する通信能力機能を宣言するＤＩＳ信号を、公衆交換電話網３０を介して送信側の通信装置に送信する（図１５中のＴ３４参照）。
【０１１３】
送信側の通信装置は、上記ＤＩＳ信号が受信側の通信装置から送信されてくると、自装置がサポートする通信能力としてＶ．３４勧告に規定する通信能力を宣言するＤＣＳ信号を、公衆交換電話網３０を介して受信側の通信装置に送信する（図１５中のＴ３５参照）。
【０１１４】
その後、受信側の通信装置がＤＣＳ信号で指定された通信能力で通信処理を実行することを確認したことを示すＣＦＲ信号を、公衆交換電話網３０を介して送信側の通信装置に送信する（図１５中のＴ３６参照）。
【０１１５】
送信側の通信装置は、受信側の通信装置からＣＦＲ信号が送信されると、ＲＡＭ３に記憶されているドット画像データからなる画像データを順次読み出し、公衆交換電話網３０を介してこの画像データを符号化し、受信側の通信装置に送信する（図１５中のＴ３７参照）。
【０１１６】
図１６は、本発明に係る実施例２の受信側の通信装置の動作を示すフローチャートである。送信側の通信装置との間で電話回線が接続されると、送受信部１１１ａは、その旨の通知を信号生成部１２０ａに出力する。
【０１１７】
信号生成部１２０ａのＡＮＳａｍ信号生成部１２１ａは、上記通知が入力されると、ＩＴＵ−Ｔが勧告したＶシリーズの中のＶ．８勧告に規定されＡＮＳａｍ信号を生成し、この生成したＡＮＳａｍ信号を送受信制御部１１０ａの送受信部１１１ａに出力する。
【０１１８】
送受信部１１１ａは、ＡＮＳａｍ信号がＡＮＳａｍ信号生成部１２１ａから入力されると、このＡＮＳａｍ信号をモデム６に出力する。
【０１１９】
モデム６は、ＡＮＳａｍ信号が入力されると、アナログデータでなるＡＮＳａｍ信号を生成し、ＮＣＵ８に出力する。
【０１２０】
ＮＣＵ８は、公衆交換電話網３０を介して、モデム６から入力されたＡＮＳａｍ信号を送信側の通信装置に送信する（ステップＳ４１）。
【０１２１】
その後、送受信制御部１１０ａのＣＭ判定部１１１ｄは、公衆交換電話網３０を介してＶ．８勧告に従った通信を行うことを宣言するＣＭ信号が送信側の通信装置から送信されてきたか否かを判定する（ステップＳ４２）。ＣＭ判定部１１１ｄは、ＣＭ信号が送信側の通信装置から送信されてきたと判定した場合には（ステップＳ４２；ＹＥＳ）、Ｖ．８シーケンス処理の実行要求、すなわち、Ｖ．８勧告に従った変調方式で変復調させる要求を、送受信部１１１ａを介してモデム６に出力する。これにより、モデム６は、Ｖ．８勧告に従った変調方式で信号を変復調する。（ステップＳ４４）。
【０１２２】
その後、ＣＭ判定部１１１ｄは、ＩＴＵ−Ｔが勧告したＶシリーズの中のＶ．３４勧告に従った通信処理に移行するためにＪＭ信号を生成させる要求を信号生成部１２０ａのＪＭ信号生成部１２１ｅに出力する。
【０１２３】
ＪＭ信号生成部１２１ｅは、上記要求が入力されると、ＪＭ信号を生成し、このＪＭ信号を送受信部１１１ａに出力する。
【０１２４】
送受信部１１１ａは、ＪＭ信号がＪＭ信号生成部から入力されると、このＪＭ信号をモデム６に出力する。
【０１２５】
モデム６は、送受信部１１１ａからＪＭ信号が入力されると、アナログデータでなるＪＭ信号を生成し、ＮＣＵ８に出力する。
【０１２６】
ＮＣＵ８は、公衆交換電話網３０とモデム６との回線を接続し、公衆交換電話網３０を介して、モデム６から入力されたＪＭ信号を送信側の通信装置に送信する（ステップＳ４４）。次に、Ｖ．３４モード通信の中のコントロールチャンネルのＴ．３０フェーズにおいて、受信側の通信装置は送信側の通信装置との間で、ＤＩＳ信号、ＤＣＳ信号を送受し（ステップＳ４５）、ステップＳ４６に処理を移行する。
【０１２７】
ステップＳ４２において、ＣＭ判定部１１１ｄは、ＣＭ信号が送信側の通信装置から送信されてこないと判定した場合には（ステップＳ４２；ＮＯ）、勧告Ｔ．３０による受信処理を実行させる要求を信号生成部１２０ａの１ｓｔＤＩＳ信号生成部１２１ｂに出力する。
【０１２８】
１ｓｔＤＩＳ信号生成部１２１ｂは、上記要求がＣＭ判定部１１１ｃから入力されると、１ｓｔＤＩＳ信号を生成し、以後、実施例１の通信装置と同様な処理を実行させる。
【０１２９】
勧告Ｔ．３０による受信処理が終了し、その後、ＤＣＳ判定部１１１ｂは、送受信部１１１ａを介してＤＣＳ信号が入力されると、ＣＦＲ信号を生成させるための要求を信号生成部１２０ａのＣＦＲ信号生成部１２１ｆに出力する。
【０１３０】
ＣＦＲ信号生成部１２１ｆは、上記通知が入力されると、ＤＣＳ信号で指定された通信能力で通信処理を実行することを確認したことを示すＣＦＲ信号を生成し、この生成したＣＦＲ信号を送受信部１１１ａに出力する。
【０１３１】
その後、送受信部１１１ａは、ＣＦＲ信号生成部１２１ｆから入力されたＣＦＲ信号をモデム６に出力する。
【０１３２】
モデム６は、送受信部１１１ａからＣＦＲ信号が入力されると、アナログデータでなるＣＦＲ信号を生成し、ＮＣＵ８に出力する。
【０１３３】
ＮＣＵ８は、公衆交換電話網３０とモデム６との回線を接続し、公衆交換電話網３０を介して、モデム６から入力されたＣＦＲ信号を送信側の通信装置に送信する（ステップＳ４６）。
【０１３４】
その後、モデム６は、ＮＵＣ８を介して、送信側の通信装置から順次入力されてきた画像データを、デジタルデータでなる画像データに変換し、この画像データを送受信部１１１ａに出力する。
【０１３５】
送受信部１１１ａは、モデム６から順次入力された画像データをＲＡＭ３に一時記憶させるとともに（ステップＳ４７）、システム制御部１４０ａに画像データが入力されてきた旨の通知を出力し、処理を終了する。
【０１３６】
なお、システム制御部１４０ａは、上記通知入力されると、印刷装置５に対して印刷開始を要求する指示を出力する。
【０１３７】
印刷装置５は、ＣＰＵ１により形成されたシステム制御部１４０ａから上記指示が入力されると、ＲＡＭ３に記憶されている画像データを随時読み出し、この画像データを復元化し、印刷媒体に印字する。
【０１３８】
＜Ｖ．８勧告に従わない通信装置と本発明による受信側通信装置との場合＞
図１７は、本発明の実施例２の通信装置の動作を示すシーケンス図である。ここで、図１７中の送信側の通信装置はＩＴＵ−Ｖ．８を有しない通信装置であり、受信側の通信装置は、本発明に係る実施例２の構成を有する通信装置である。
【０１３９】
送信側の通信装置と受信側の通信装置とが電話回線により通信接続されると、受信側の通信装置は、リング信号を受信すると、公衆交換電話網３０を介して送信側の通信装置にＡＮＳａｍ信号を送信する（図１７中のＴ４１参照）。
【０１４０】
送信側の通信装置は、公衆交換電話網３０を介してＡＮＳａｍ信号が送信されてくると、自装置がＶ．８勧告を満たしていないので、ＡＮＳａｍ信号に対するＣＭ信号を受信側の通信装置に送信することができない。
【０１４１】
受信側の通信装置は、予め決められ時間経過しても送信側の通信装置からＣＭ信号を受信しないと、送信側の通信装置がＶ．８勧告を満たしていない通信装置であることを特定する。その後、この通信装置は、公衆交換電話網３０を介してすべての通信装置がサポート可能な必要最低限の通信能力を宣言するＤＩＳ信号を送信側の通信装置に送信する（図１７のＴ４２参照）。以後、送信側の通信装置、受信側の通信装置の処理（図１７中のＴ４３、Ｔ４４、及びＴ４５参照）は、図１５に示したものと同様な処理を実行する。
【０１４２】
実施例２によれば、送信側の通信から接続要求情報が受信される、Ｖ．８勧告に規定されたＡＮＳａｍ信号を相手装置に送信し、送信側の通信装置からＡＮＳａｍ信号に対するＣＭ信号を送受信部１１１ａが受信しない場合には、送信側の通信装置がＶ．８勧告に従った装置でないもの、すなわち旧いタイプの通信装置であることを特定することができる。そして、すべての通信装置がサポート可能な必要最低限の通信能力を宣言するＤＩＳ信号を送受信部１１１ａが送信して、このＤＩＳ信号に宣言された通信能力を宣言するＤＣＳ信号を受信するので、送信側の通信装置との間で通信エラーが発生することを防止することができる。
【０１４３】
また、実施例２によれば、ＣＭ信号を送受信部１１１ａが受信した場合には、自装置がサポートする通信能力としてＶ．３４勧告に従った通信能力を宣言するＤＩＳ信号を送信側の通信装置に送信し、このＤＩＳ信号に宣言された通信能力を受信するので、送信側の通信装置との間で高い通信能力を維持するができる。
【０１４４】
また、実施例２によれば、発信電話番号を特定するためのハードウェアを備える必要がないので、装置のコストアップを抑えることができるとともに、交換機に対する依存性をなくすことができる。
【産業上の利用可能性】
【０１４５】
実施例では通信装置としてファクシミリ装置について記載したが、これ以外としてＭＰＦ（Ｍｕｌｔｉｆｕｎｃｔｉｏｎ  Ｐｅｒｉｐｈｅｒａｌ）、ＦＡＸモデム等の通信装置にも適用することができることはいうまでもない。
【図面の簡単な説明】
【０１４６】
【図１】本発明に係る実施例１の通信装置の構成を示すブロック図である。
【図２】本発明に係る実施例１の通信制御部の機能を示す機能ブロック図である。
【図３】ＤＩＳ一覧を示す図（その１）である。
【図４】ＤＩＳ一覧を示す図（その２）である。
【図５】ＤＩＳ一覧を示す図（その３）である。
【図６】ＤＩＳ一覧を示す図（その４）である。
【図７】本発明に係る実施例１の通信装置の伝送制御手順を示すシーケンス図である。
【図８】本発明に係る実施例１の送信側の通信装置の動作を示すフローチャートである。
【図９】本発明に係る実施例１の受信側の通信装置の動作を示すフローチャートである。
【図１０】本発明に係る実施例１の通信装置の伝送制御手順を示すシーケンス図である。
【図１１】本発明に係る実施例１の通信装置間の伝送制御手順を示すシーケンス図である。
【図１２】実施例１の効果を説明するための通信装置間の伝送制御手順を示すシーケンス図である。
【図１３】本発明に係る実施例２の通信装置の構成を示すブロック図である。
【図１４】本発明に係る実施例２の通信装置の機能を示す機能ブロック図である。
【図１５】本発明に係る実施例２の通信装置の伝送制御手順を示すシーケンス図である。
【図１６】本発明に係る実施例２の受信側の通信装置の動作を示すフローチャートである。
【図１７】本発明に係る実施例２の通信装置の伝送制御手順を示すシーケンス図である。
【符号の説明】
【０１４７】
１、１１  ＣＰＵ
１１０、１１０ａ  送受信制御部
１１１、１１１ａ  送受信部
１１２、１１１ｂ  ＤＣＳ判定部
１１３、１１１ｃ  ＤＩＳ判定部
１１１ｄ  ＣＭ判定部  
１２０、１２０ａ  信号生成部
１２１ａ  ＡＮＳａｍ信号生成部
１２１、１２１ｂ  １ｓｔＤＩＳ信号生成部
１２２、１２１ｃ  ２ｎｄＤＩＳ信号生成部
１２３、１２１ｆ  ＣＦＲ信号生成部
１２４、１２１ｇ  ＤＣＳ信号生成部
１２１ｄ  ＣＭ信号生成部
１２１ｅ  ＪＭ信号生成部
１４０、１４０ａ  システム制御部
２  ＲＯＭ
３  ＲＡＭ
４  読取装置
５  印刷装置
６  モデム
７  操作パネル
８  ＮＣＵ
２０  システムバス
３０  公衆交換電話網
【図１】
0004431162.tif 000002
【図２】
0004431162.tif 000003
【図３】
0004431162.tif 000004
【図４】
0004431162.tif 000005
【図５】
0004431162.tif 000006
【図６】
0004431162.tif 000007
【図７】
0004431162.tif 000008
【図８】
0004431162.tif 000009
【図９】
0004431162.tif 000010
【図１０】
0004431162.tif 000011
【図１１】
0004431162.tif 000012
【図１２】
0004431162.tif 000013
【図１３】
0004431162.tif 000014
【図１４】
0004431162.tif 000015
【図１５】
0004431162.tif 000016
【図１６】
0004431162.tif 000017
【図１７】
0004431162.tif 000018